(57)【要約】【課題】調光シートを使用する温度の範囲において下限値の引き下げを可能にした調光シート、および、調光装置を提供する。【解決手段】複数の液晶分子を含む調光層１１と、調光層１１を間に挟む一対の透明導電層１２Ａ，１２Ｂと、液晶分子の配向を変える電圧を出力する第１電源２１を各透明導電層１２Ａ，１２Ｂに接続する第１接続部と、第１透明導電層１２Ａに、第１透明導電層１２Ａに電流を供給して第１透明導電層１２Ａを加熱する第２電源２２を接続する第２接続部とを備える。【選択図】図４
2020177198.tif 000002
【特許請求の範囲】
【請求項１】
複数の液晶分子を含む調光層と、
前記調光層を間に挟む一対の透明導電層と、
前記液晶分子の配向を変える電圧を出力する第１電源を各透明導電層に接続する第１接続部と、
透明加熱体に、前記透明加熱体に電流を供給して前記透明加熱体を加熱する第２電源を接続する第２接続部と、を備える
調光シート。
【請求項２】
前記透明加熱体は、前記透明導電層であり、
前記第１接続部は、各透明導電層に電極部を備え、
前記第２接続部は、前記第２電源と前記透明加熱体とを接続する第１電極部と、前記第１電極部とは異なる第２電極部であって、前記第２電源と前記透明加熱体とを接続する前記第２電極部とを備える
請求項１に記載の調光シート。
【請求項３】
前記一対の透明導電層は、第１透明導電層および第２透明導電層から構成され、
前記透明加熱体は、前記第１透明導電層および前記第２透明導電層とは異なる第３透明導電層である
請求項１に記載の調光シート。
【請求項４】
前記調光シートは四角形状を有し、
前記第２接続部の各電極部は、前記調光シートにおいて対向する辺に１つずつ位置する
請求項２に記載の調光シート。
【請求項５】
前記第２接続部の各電極部は、前記調光シートが有する辺に沿って延びる直線状を有する
請求項４に記載の調光シート。
【請求項６】
請求項１から５のいずれか一項に記載の調光シートと、
第１電源と、
第２電源と、
前記第１電源が出力する電圧を前記一対の透明導電層に印加可能にする状態と、前記第２電源が出力する電流を前記透明加熱体に供給可能にする状態とを切り替える切替部と、
を備える
調光装置。
【請求項７】
請求項１から請求項５のいずれか一項に記載の調光シートと、
第１電源と、
第２電源と、を備え、
前記第２接続部は、複数の電極部を含み、前記複数の電極部は、各透明導電層に２つずつ位置し、
前記第２電源が一方の前記透明導電層のみに接続する状態と、前記第２電源が前記一対の透明導電層に接続する状態とを切り替える切替部をさらに備える
調光装置。
【発明の詳細な説明】
【技術分野】
【０００１】
本発明は、調光シート、および、調光装置に関する。
【背景技術】
【０００２】
調光シートは、液晶組成物を含む調光層と、調光層を挟む一対の透明導電層とを備えている。調光シートでは、一対の透明導電層間の電位差に応じて、調光層に含まれる液晶分子の配向が変わり、これによって、調光シートの光透過率が変わる（例えば、特許文献１参照）。
【先行技術文献】
【特許文献】
【０００３】
【特許文献１】特開２０１８−１７９３８号公報
【発明の概要】
【発明が解決しようとする課題】
【０００４】
近年、調光シートの適用範囲は広がる一途をたどり、これに伴い、調光シートは寒冷地などの低温下での使用も検討されている。そして、低温下での調光シートの使用に際しては、液晶分子の配向が電圧の印加に追従しにくい新たな課題が生じている。
【０００５】
本発明は、調光シートを使用する温度の範囲において下限値の引き下げを可能にした調光シート、および、調光装置を提供することを目的とする。
【課題を解決するための手段】
【０００６】
上記課題を解決するための調光シートは、複数の液晶分子を含む調光層と、前記調光層を間に挟む一対の透明導電層と、前記液晶分子の配向を変える電圧を出力する第１電源を各透明導電層に接続する第１接続部と、透明加熱体に、前記透明加熱体に電流を供給して前記透明加熱体を加熱する第２電源を接続する第２接続部と、を備える。
【０００７】
上記構成によれば、電流を供給された透明加熱体によって調光層が加熱される。これにより、液晶分子を含む調光層の温度は、調光シートが置かれた環境の温度よりも上昇する。そのため、調光シートが低温下に配置された場合であっても、調光層の温度が低下することに起因して、液晶分子の配向が電圧の印加に追従しにくくなることが抑えられる。それゆえに、調光シートを使用する温度の範囲において下限値を引き下げることが可能となる。
【０００８】
上記調光シートにおいて、前記透明加熱体は、前記透明導電層であり、前記第１接続部は、各透明導電層に電極部を備え、前記第２接続部は、前記第２電源と前記透明加熱体とを接続する第１電極部と、前記第１電極部とは異なる第２電極部であって、前記第２電源と前記透明加熱体とを接続する前記第２電極部とを備えてもよい。
【０００９】
上記構成によれば、複数の電極部の一部である第１電極部が、複数の液晶分子の配向を変えるための電極部として機能することに加えて、透明加熱体である透明導電層を加熱するための電極部としても機能する。そのため、液晶分子の配向を変えるための電極部と、調光層を加熱するための電極部とを別々に備える場合に比べて、調光シートに用いられる部材の数を減らすことができる。
【００１０】
上記調光シートにおいて、前記一対の透明導電層は、第１透明導電層および第２透明導電層から構成され、前記透明加熱体は、前記第１透明導電層および前記第２透明導電層とは異なる第３透明導電層であってもよい。
【００１１】
上記構成によれば、一対の透明導電層とは別に、加熱用の透明導電層を有することによって、調光シートの透過率を変えることと、調光層を加熱することとを各別に行うことと、同時に行うこととを選択することが可能である。
【００１２】
上記調光シートにおいて、前記調光シートは四角形状を有し、前記第２接続部の各電極部は、前記調光シートにおいて対向する辺に１つずつ位置してもよい。上記構成によれば、第２電源から供給される電流が透明導電層の一部にのみ供給されることが抑えられる。そのため、調光層が、調光層の全体にわたって加熱されやすくなる。
【００１３】
上記調光シートにおいて、前記第２接続部の各電極部は、前記調光シートが有する辺に沿って延びる直線状を有してもよい。上記構成によれば、電極部が調光シートの一辺に沿って延びるため、第２電源から供給される電流が透明導電層の全体に広がりやすくなる。そのため、調光層が、調光層の全体にわたって加熱されやすくなる。
【００１４】
上記課題を解決するための調光装置は、上記調光シートと、第１電源と、第２電源と、前記第１電源が出力する電圧を前記一対の透明導電層に印加可能にする状態と、前記第２電源が出力する電流を前記透明加熱体に供給可能にする状態とを切り替える切替部と、を備える。
【００１５】
上記構成によれば、切替部によって、第１電源からの出力によって複数の液晶分子の配向を変えることと、第２電源からの出力によって透明導電層を加熱することを切り替えることが可能である。
【００１６】
上記課題を解決するための調光装置は、上記調光シートと、第１電源と、第２電源と、を備え、前記第２接続部は、複数の電極部を含み、前記複数の電極部は、各透明導電層に２つずつ位置し、前記第２電源が一方の前記透明導電層のみに接続する状態と、前記第２電極が前記一対の透明導電層に接続する状態とを切り替える切替部をさらに備える。
【００１７】
上記構成によれば、切替部によって、調光層の厚さ方向における一方のみから調光層を加熱することと、調光層の厚さ方向における両方から調光層を加熱することとを切り替えることが可能である。
【発明の効果】
【００１８】
本発明によれば、調光シートを使用する温度の範囲において下限値を引き下げることができる。
【図面の簡単な説明】
【００１９】
【図１】ノーマル型の調光シートの構造を示す断面図。
【図２】リバース型の調光シートの構造を示す断面図。
【図３】第１実施形態の調光シートにおける第１例の構造を示す分解斜視図。
【図４】第１例の調光シートを備える調光装置に対応する等価回路図。
【図５】第１実施形態の調光シートにおける第２例の構造を示す分解斜視図。
【図６】第２例の調光シートを備える調光装置に対応する等価回路図。
【図７】第１実施形態の調光シートにおける第３例の構造を示す分解斜視図。
【図８】第３例の調光シートを備える調光装置に対応する等価回路図。
【図９】第３例の調光シートにおける変更例の構造を示す分解斜視図。
【図１０】第１実施形態の調光シートにおける第４例の構造を示す分解斜視図。
【図１１】第４例の調光シートを備える調光装置に対応する等価回路図。
【図１２】第４例の調光シートにおける変更例の構造を示す分解斜視図。
【図１３】第２実施形態の調光シートにおける構造を示す分解斜視図。
【図１４】第２実施形態の調光シートにおける第１変更例の構造を示す分解斜視図。
【図１５】第２実施形態の調光シートにおける第２変更例の構造を示す分解斜視図。
【図１６】第２実施形態の調光シートにおける第３変更例の構造を示す分解斜視図。
【発明を実施するための形態】
【００２０】
［第１実施形態］
図１から図１２を参照して、調光シートおよび調光装置の第１実施形態を説明する。第１実施形態の調光シートおよび調光装置は、第１例から第４例の調光シートおよび調光装置を含む。以下では、各例に関する詳しい説明の前に、各例の調光シートとして適用が可能な２つの例について説明する。
【００２１】
［調光シート］
図１が示す調光シート１０Ｎは、ノーマル型の調光シートである。調光シート１０Ｎは、調光層１１、一対の透明導電層１２、および、一対の透明支持層１３を備えている。一対の透明導電層１２である第１透明導電層１２Ａと第２透明導電層１２Ｂとは、調光層１１の厚さ方向において調光層１１を挟んでいる。一対の透明支持層１３である第１透明支持層１３Ａおよび第２透明支持層１３Ｂは、調光層１１の厚さ方向において一対の透明導電層１２を挟んでいる。
【００２２】
調光層１１は、複数の液晶分子を含んでいる。例えば、高分子ネットワーク型液晶（Polymer Network Liquid Crystal）である。各透明導電層１２は、可視光を透過することが可能な透過率を有する。調光層１１には、透明導電層１２を介して液晶分子の配向を変える電圧が印加される。各透明導電層１２は、電流の供給によって発熱することが可能な材料によって形成されている。各透明導電層１２は、例えば透明導電性酸化物によって形成される。透明導電性酸化物は、例えば酸化インジウムスズ（ＩＴＯ）である。
【００２３】
各透明支持層１３は、可視光を透過することが可能な透過率を有する。各透明支持層１３は、互いに異なる１つの透明導電層１２を支持している。透明支持層１３Ａ，１３Ｂは、例えば、ガラス基板、シリコン基板、および、高分子フィルムであってよい。
【００２４】
調光シート１０Ｎでは、透明導電層１２に電圧が印加されることによって、液晶分子の長軸が、透明導電層１２間に生成された電界に沿った向きに配向する。これにより、調光層１１を光が透過しやすくなるため、調光層１１が透明になる。一方で、透明導電層１２に電圧が印加されていない間は、液晶分子における長軸の向きは不規則である。そのため、調光層１１に入射した光が散乱される結果として、調光層１１は不透明になる。
【００２５】
図２が示す調光シート１０Ｒは、リバース型の調光シートである。調光シート１０Ｒは、調光層１１、一対の透明導電層１２、および、一対の透明支持層１３に加えて、一対の配向層１４を備えている。一対の配向層１４は、調光層１１の厚さ方向において調光層１１を挟んでいる。一対の配向層１４は、調光層１１の厚さ方向において一対の透明導電層１２によって挟まれている。各配向層１４は、例えば、透明な垂直配向膜である。配向層１４は、透明導電層１２に電圧が印加されていない間は、液晶分子の長軸を、配向層１４に沿って広がる面の法線方向に沿わせるように、液晶分子を配向する。一方で、配向層１４は、透明導電層１２に電圧が印加されることによって、液晶分子の長軸を法線方向以外の方向に変更可能にする。
【００２６】
そのため、調光シート１０Ｒでは、透明導電層１２に電圧が印加されることによって、液晶分子における長軸の向きが、配向層１４の法線方向とは異なる向きになるため、調光層１１は不透明になる。一方で、透明導電層１２に電圧が印加されていない間は、液晶分子の長軸が配向層１４の法線方向に沿った向きであるため、調光層１１は透明である。
【００２７】
なお、以下に説明する各例の調光シートは、ノーマル型の調光シート１０Ｎでもよいし、リバース型の調光シート１０Ｒでもよい。以下では、各例の調光シートに対してノーマル型の調光シート１０Ｎが適用された場合について詳しく説明し、リバース型の調光シート１０Ｒが適用された場合についての説明を省略する。
【００２８】
［第１例］
図３および図４を参照して、第１例の調光シートおよび調光装置を説明する。
図３が示すように、調光シート１０Ｎは、調光層１１と、一対の透明導電層１２とを備えている。調光層１１は、複数の液晶分子を含んでいる。一対の透明導電層１２は、調光層１１を当該一対の透明導電層１２の間に挟んでいる。
【００２９】
調光シート１０Ｎは、第１接続部と第２接続部とを備えている。第１接続部は、液晶分子の配向を変える電圧を出力する第１電源を各透明導電層１２に接続する。第２接続部は、透明加熱体に、透明加熱体に電流を供給して透明加熱体を加熱する第２電源を接続する。本例では、第１接続部は、第１電極部１５Ａと第２電極部１５Ｂとを含む。第１電極部１５Ａは第１透明導電層１２Ａに接続され、第２電極部１５Ｂは第２透明導電層１２Ｂに接続されている。第２接続部は、第１電極部１６Ａと第２電極部１６Ｂとを含む。第１電極部１６Ａおよび第２電極部１６Ｂは、第１透明導電層１２Ａに接続されている。本例では、第１接続部の第１電極部１５Ａが、第２接続部の第２電極部１６Ｂを兼ねている。本例では、第１透明導電層１２Ａが、透明加熱体の一例である。
【００３０】
調光シート１０Ｎは、四角形状を有する。調光シート１０Ｎの一辺が延びる方向が第１方向Ｄ１であり、一辺と直交する他の辺が延びる方向が第２方向Ｄ２である。第２接続部の各電極部１６Ａ，１６Ｂは、調光シート１０Ｎにおいて対向する辺に１つずつ位置している。第２電源から供給される電流が第１透明導電層１２Ａの一部にのみ供給されることが抑えられる。そのため、調光層１１が、調光層１１の全体にわたって加熱されやすくなる。
【００３１】
本例では、第１電極部１６Ａと第２電極部１６Ｂとが、調光シート１０Ｎの対角方向に位置している。なお、第１電極部１６Ａと第２電極部１６Ｂとは、対向する辺に１つずつ位置していれば、第１方向Ｄ１に沿って並んでいてもよいし、第２方向Ｄ２に沿って並んでいてもよい。
【００３２】
各電極部１５Ａ，１５Ｂ，１６Ａ，１６Ｂは、例えば、フレキシブルプリント基板（FPC : Flexible Print Circuits）と、ＦＰＣを透明導電層１２に接合する異方性導電フィルム（ACF : Anisotropic Conductive Film）とから形成されている。
【００３３】
調光シート１０Ｎでは、第１透明支持層１３Ａにおいて第１透明導電層１２Ａと対向する面とは反対側の面が、表面１０ＮＦである。調光シート１０Ｎでは、第２透明支持層１３Ｂにおいて第２透明導電層１２Ｂと対向する面とは反対側の面が、裏面１０ＮＢである。第１透明導電層１２Ａにおいて、第１透明支持層１３Ａと対向する面が表面１２ＡＦであり、調光層１１と対向する面が裏面１２ＡＢである。第２透明導電層１２Ｂにおいて、調光層１１と対向する面が表面１２ＢＦであり、第２透明支持層１３Ｂと対向する面が裏面１２ＢＢである。
【００３４】
第１電極部１５Ａと第１電極部１６Ａとは、第１透明導電層１２Ａの裏面１２ＡＢに接合されている。２つの電極部１５Ａ，１６Ａは、第１透明導電層１２Ａのなかで、第１方向Ｄ１において対向する辺に１つずつ位置し、その電極部１５Ａ，１６Ａが位置する辺から、第１透明導電層１２Ａの外側に向けて延びている。第２電極部１５Ｂは、第２透明導電層１２Ｂの表面１２ＢＦに接合されている。第２電極部１５Ｂは、第２透明導電層１２Ｂのなかで、第１方向Ｄ１に沿って延びる辺に位置している。第２電極部１５Ｂは、第２電極部１５Ｂが位置する辺から第２透明導電層１２Ｂの外側に向けて延びている。
【００３５】
調光シート１０Ｎの表面１０ＮＦと対向する平面視において、第１電極部１５Ａと第２電極部１５Ｂとが、第１方向Ｄ１に沿って並び、かつ、第２電極部１５Ｂと第１電極部１６Ａとが、第２方向Ｄ２に沿って並んでいる。
【００３６】
調光シート１０Ｎの表面１０ＮＦから見て、第２電極部１５Ｂが、調光層１１、第１透明導電層１２Ａ、および、第１透明支持層１３Ａにそれぞれ形成された貫通孔１１ｈ，１２Ａｈ，１３Ａｈを通じて、調光シート１０Ｎの外部に露出している。調光シート１０Ｎの裏面１０ＮＢから見て、第１電極部１６Ａおよび第２電極部１６Ｂが、調光層１１、第２透明導電層１２Ｂ、および、第２透明支持層１３Ｂにそれぞれ形成された貫通孔１１ｈ，１２Ｂｈ，１３Ｂｈを通じて、調光シート１０Ｎの外部に露出している。各電極部は、当該電極部を露出させるための貫通孔を通じて、各電極部と電源とを接続する配線によって、電源に対して電気的に接続される。
【００３７】
図４は、第１例の調光装置の等価回路図である。
図４が示すように、調光装置２０は、調光シート１０Ｎと、第１電源２１と、第２電源２２とを備えている。調光装置２０は、切替部を備えている。切替部は、第１電源２１が出力する電圧を一対の透明導電層１２に印加可能にする状態と、第２電源２２が出力する電流を第１透明導電層１２Ａに供給可能にする状態とを切り替える。
【００３８】
等価回路は、第１抵抗Ｒ１、第２抵抗Ｒ２、および、第３抵抗Ｒ３を含んでいる。第１抵抗Ｒ１、第２抵抗Ｒ２、および、第３抵抗Ｒ３は、直列に接続されている。等価回路は、容量Ｃを含んでいる。容量Ｃは、第３抵抗Ｒ３に並列に接続されている。第１抵抗Ｒ１は第１透明導電層１２Ａに相当し、第２抵抗Ｒ２は第２透明導電層１２Ｂに相当し、第３抵抗Ｒ３は調光層１１の抵抗成分に相当する。容量Ｃは、調光層１１の容量成分に相当する。
【００３９】
第１電源２１は、第１スイッチＳＷ１を介して第１抵抗Ｒ１に接続されることが可能であり、かつ、第２スイッチＳＷ２を介して第２抵抗Ｒ２に接続されることが可能である。第２電源２２は、端子Ｔを介して第１抵抗Ｒ１に接続され、かつ、第１スイッチＳＷ１を介して第１抵抗Ｒ１に接続されることが可能である。端子Ｔは、第２接続部が備える第１電極部１６Ａに相当する。
【００４０】
第１スイッチＳＷ１は、第１電源２１が、第１抵抗Ｒ１すなわち第１透明導電層１２Ａに接続された状態と、第２電源２２が第１抵抗Ｒ１に接続された状態とを切り替える。第２スイッチＳＷ２は、第１電源２１が、第２抵抗Ｒ２すなわち第２透明導電層１２Ｂに接続された状態と、第１電源２１が、第２抵抗Ｒ２に接続されていない状態とを切り替える。
【００４１】
第１電源２１が出力電圧を一対の透明導電層１２に印加可能にする場合には、第１スイッチＳＷ１が第１電源２１を第１透明導電層１２Ａに接続し、かつ、第２スイッチＳＷ２が第１電源２１を第２透明導電層１２Ｂに接続する。一方で、第２電源２２が第１透明導電層１２Ａに電流を供給する場合には、第１スイッチＳＷ１が第２電源２２を第１透明導電層１２Ａに接続し、かつ、第２スイッチＳＷ２が第１電源２１を第２透明導電層１２Ｂに接続しない。このように、本例では、第１スイッチＳＷ１と第２スイッチＳＷ２とが、切替部を構成している。
【００４２】
第１接続部に属する電極部が、複数の液晶分子の配向を変えるための電極部として機能することに加えて、第１透明導電層１２Ａを加熱するための電極部としても機能する。そのため、液晶分子の配向を変えるための電極部と、調光層１１を加熱するための電極部とを別々に備える場合に比べて、調光シート１０Ｎ，１０Ｒに用いられる部材の数を減らすことができる。
【００４３】
こうした調光装置２０によれば、第１電源２１が、一対の透明導電層１２に電圧を印加することによって、液晶分子の配向が変わる。これにより、調光シート１０Ｎの透過率が変わる。また、第２電源２２が、第１透明導電層１２Ａに電流を供給することによって、第１透明導電層１２Ａが加熱される。これにより、第１透明導電層１２Ａによって調光層１１が加熱され、調光装置２０が低温環境において使用された場合であっても、液晶分子の配向が電圧の印加に追従する温度にまで調光層１１を加熱することが可能である。結果として、調光シート１０Ｎを使用する温度の範囲において、下限値の引き下げが可能になる。
【００４４】
また、本例では、スイッチＳＷ１，ＳＷ２によって、第１電源２１からの出力によって複数の液晶分子の配向を変えることと、第２電源２２からの出力によって第１透明導電層１２Ａを加熱することを切り替えることが可能である。
【００４５】
［第２例］
図５および図６を参照して、第２例の調光シートおよび調光装置を説明する。第２例の調光シートでは、第１例の調光シート１０Ｎと比べて、第１透明導電層１２Ａと第２透明導電層１２Ｂとの両方が透明加熱体として機能することが可能である点が異なっている。そのため以下では、第２透明導電層１２Ｂが透明加熱体として機能することが可能であるための構成について詳しく説明する一方で、第２例において第１例と共通する構成には、第１例と同一の符号を付すことによって当該構成の説明を省略する。
【００４６】
図５が示すように、第２接続部は、第１電極部１６Ａおよび第２電極部１６Ｂに加えて、第３電極部１６Ｃおよび第４電極部１６Ｄを備えている。第２接続部において、第１電極部１６Ａおよび第２電極部１６Ｂが第１透明導電層１２Ａを透明加熱体として機能させるための電極部であり、第３電極部１６Ｃおよび第４電極部１６Ｄが第２透明導電層１２Ｂを透明加熱体として機能させるための電極部である。第４電極部１６Ｄは、第１接続部が備える第２電極部１５Ｂを兼ねている。
【００４７】
調光シート１０Ｎは、四角形状を有している。第２接続部の第１電極部１６Ａおよび第２電極部１６Ｂは、調光シート１０Ｎにおいて対向する辺に１つずつ位置する。第２接続部の第３電極部１６Ｃおよび第４電極部１６Ｄは、調光シート１０Ｎにおいて対向する辺に１つずつ位置する。本例では、第１電極部１６Ａと第２電極部１６Ｂとが、調光シート１０Ｎの対角方向に位置し、かつ、第３電極部１６Ｃと第４電極部１６Ｄとが、調光シート１０Ｎの他の対角方向に位置している。第３電極部１６Ｃは、他の電極部と同様、例えば、ＦＰＣとＡＣＦとから形成されている。
【００４８】
第３電極部１６Ｃは、第２透明導電層１２Ｂの表面１２ＢＦに接合されている。調光シート１０Ｎの表面１０ＮＦと対向する平面視において、第１電極部１６Ａと第３電極部１６Ｃとが第１方向Ｄ１に沿って並び、かつ、第２電極部１６Ｂと第３電極部１６Ｃとが第２方向Ｄ２に沿って並んでいる。
【００４９】
調光シート１０Ｎの表面１０ＮＦから見て、第３電極部１６Ｃが、調光層１１、第１透明導電層１２Ａ、および、第１透明支持層１３Ａにそれぞれ形成された貫通孔１１ｈ，１２Ａｈ，１３Ａｈを通じて、調光シート１０Ｎの外部に露出している。第３電極部１６Ｃは、第３電極部１６Ｃを露出させるための貫通孔を通じて、第３電極部１６Ｃと第２電源２２とを接続する配線によって第２電源２２に対して電気的に接続される。第４電極部１６Ｄは、第４電極部１６Ｄを露出させるための貫通孔を通じて、第４電極部１６Ｄと第２電源２２とを接続する配線によって第２電源２２に対して電気的に接続される。
【００５０】
図６は、第２例の調光装置の等価回路図である。
図６が示すように、調光装置２０は、第２電源２２が一方の透明導電層１２のみに接続する状態と、第２電源２２が一対の透明導電層１２に接続する状態とを切り替える切替部を備えている。
【００５１】
第１電源２１は、第１スイッチＳＷ１を介して第１抵抗Ｒ１に接続されることが可能であり、かつ、第２スイッチＳＷ２を介して第２抵抗Ｒ２に接続されることが可能である。第２電源２２は、第１端子Ｔ１を介して第１抵抗Ｒ１に接続され、かつ、第１スイッチＳＷ１を介して第１抵抗Ｒ１に接続されることが可能である。第１端子Ｔ１は、第２接続部が備える第１電極部１６Ａに相当する。また、第２電源２２は、第３スイッチＳＷ３および第２端子Ｔ２を介して第２抵抗Ｒ２に接続されることが可能であり、かつ、第２スイッチＳＷ２および第４スイッチＳＷ４を介して第２抵抗Ｒ２に接続されることが可能である。第２端子Ｔ２は、第２接続部が備える第３電極部１６Ｃに相当する。
【００５２】
第１スイッチＳＷ１は、第１電源２１が、第１抵抗Ｒ１すなわち第１透明導電層１２Ａに接続された状態と、第２電源２２が、第１抵抗Ｒ１に接続されている状態とを切り替える。第２スイッチＳＷ２は、第１電源２１が、第２抵抗Ｒ２すなわち第２透明導電層１２Ｂに接続された状態と、第２電源２２が、第４スイッチＳＷ４を介して第２透明導電層１２Ｂに接続されることが可能な状態とを切り替える。第３スイッチＳＷ３は、第２電源２２が、第２抵抗Ｒ２に接続された状態と、第２電源２２が、第２抵抗Ｒ２に接続されていない状態とを切り替える。第４スイッチＳＷ４は、第２電源２２が、第２スイッチＳＷ２を介して第２抵抗Ｒ２に接続することが可能な状態と、第２電源２２が、第２抵抗Ｒ２に接続されていない状態とを切り替える。
【００５３】
第１電源２１が出力電圧を一対の透明導電層１２に印加可能にする場合には、第１スイッチＳＷ１が第１電源２１を第１抵抗Ｒ１に接続し、かつ、第２スイッチＳＷ２が第１電源２１を第２抵抗Ｒ２に接続する。
【００５４】
一方で、第２電源２２が第１透明導電層１２Ａに電流を供給する場合には、第１スイッチＳＷ１が第２電源２２を第１透明導電層１２Ａに接続し、かつ、第２スイッチＳＷ２が、第１電源２１を第２抵抗Ｒ２に接続せず、かつ、第４スイッチＳＷ４を介して第２電源２２を第２抵抗Ｒ２に接続可能な状態とする。これにより、第２電源２２が、第１透明導電層１２Ａに電流を供給することが可能であり、結果として、第１透明導電層１２Ａを透明加熱体として機能させることが可能である。
【００５５】
この状態で、第３スイッチＳＷ３が第２電源２２を第２抵抗Ｒ２に接続し、かつ、第４スイッチＳＷ４が第２電源２２を第２抵抗Ｒ２に接続する。これによって、第２電源２２が、第２透明導電層１２Ｂに電流を供給することが可能である。結果として、第１透明導電層１２Ａと第２透明導電層１２Ｂとの両方を透明加熱体として機能させることが可能である。このように、本例では、第１スイッチＳＷ１、第２スイッチＳＷ２、第３スイッチＳＷ３、および、第４スイッチＳＷ４が、切替部を構成している。
【００５６】
こうした調光装置２０によれば、第２電源２２が第１透明導電層１２Ａのみに電流を供給する状態と、第２電源２２が第１透明導電層１２Ａおよび第２透明導電層１２Ｂの両方に電流を供給する状態とを切り替えることが可能である。言い換えれば、スイッチＳＷ１，ＳＷ２，ＳＷ３，ＳＷ４によって、調光層１１の厚さ方向における一方のみから調光層１１を加熱することと、調光層１１の厚さ方向における両方から調光層１１を加熱することとを切り替えることが可能である。
【００５７】
第２電源２２が第１透明導電層１２Ａおよび第２透明導電層１２Ｂに電流を供給する場合には、調光層１１の厚さ方向における両側から調光層１１が加熱される。これにより、調光層１１の厚さ方向における片側のみから調光層１１が加熱される場合に比べて、調光層１１の加熱に必要な時間を短縮すること、および、調光層１１の厚さ方向における調光層１１内での温度のばらつきを抑えることが可能にもなる。
【００５８】
［第３例］
図７および図８を参照して、第３例の調光シートおよび調光装置を説明する。第３例の調光シートでは、第１例の調光シートと比べて、第２接続部が備える電極部の数および形状が異なっている。そのため以下では、こうした相違点を詳しく説明する一方で、第３例において第１例と共通する構成には、第１例と同一の符号を付すことによって当該構成の詳しい説明を省略する。
【００５９】
図７が示すように、第２接続部は、第１電極部２６Ａおよび第２電極部２６Ｂを備えている。第２接続部の各電極部２６Ａ，２６Ｂは、調光シート１０Ｎにおいて対向する辺に１つずつ位置している。本例において、第１方向Ｄ１において対向する２つの辺の一方に第１電極部２６Ａが位置し、２つの辺の他方に第２電極部２６Ｂが位置している。
【００６０】
各電極部２６Ａ，２６Ｂは、調光シート１０Ｎが有する辺に沿って延びる直線状を有している。電極部２６Ａ，２６Ｂが調光シート１０Ｎの一辺に沿って延びるため、第２電源２２から供給される電流が第２透明導電層１２Ｂの全体に広がりやすくなる。そのため、調光層１１が、調光層１１の全体にわたって加熱されやすくなる。
【００６１】
本例では、各電極部２６Ａ，２６Ｂは、第２方向Ｄ２に沿って延びる直線状を有している。各電極部２６Ａ，２６Ｂの長さは、各電極部２６Ａ，２６Ｂが沿う辺の長さの５０％以上であり、８０％以上であることが好ましく、９０％以上であることがより好ましい。すなわち、各電極部２６Ａ，２６Ｂの長さは、各電極部２６Ａ，２６Ｂが沿う辺の長さにほぼ等しいことが好ましい。
【００６２】
第１電極部２６Ａにおいて、配線が接合される部分が第１被接合部２６Ａ１である。第２電極部２６Ｂにおいて、配線が接合される部分が第２被接合部２６Ｂ１である。第１被接合部２６Ａ１は、第１方向Ｄ１における第１電極部２６Ａの中央部を含む部分であることが好ましい。また、第２被接合部２６Ｂ１は、第１方向Ｄ１における第２電極部２６Ｂの中央部を含む部分であることが好ましい。これにより、第２方向Ｄ２において、第２透明導電層１２Ｂに供給される電流量にばらつきが生じることが抑えられる。
【００６３】
第１方向Ｄ１において、第２透明支持層１３Ｂの長さは、第２透明導電層１２Ｂの長さに等しい。また、第１方向Ｄ１において、調光層１１の長さ、第１透明導電層１２Ａの長さ、および、第１透明支持層１３Ａの長さは互いに等しい。第１方向Ｄ１において、第２透明支持層１３Ｂの長さは、第１透明支持層１３Ａの長さよりも長い。調光シート１０Ｎの表面１０ＮＦと対向する平面視において、各電極部２６Ａ，２６Ｂは、第２透明導電層１２Ｂのなかで、調光層１１、第１透明導電層１２Ａ、および、第１透明支持層１３Ａからはみ出す部分に位置している。これにより、各電極部２６Ａ，２６Ｂが、調光シート１０Ｎの外部に露出し、結果として、各電極部２６Ａ，２６Ｂを第２電源２２に接続するための配線を各電極部２６Ａ，２６Ｂに接続することが可能になる。
【００６４】
各電極部２６Ａ，２６Ｂは、例えば、導電性ペーストおよび導電性テープなどから形成されている。なお、各電極部２６Ａ，２６Ｂは、ＦＰＣおよびＡＣＦから形成されてもよい。
【００６５】
上述した第１例および第２例と同様、第１電極部１５Ａは、第１透明導電層１２Ａの裏面１２ＡＢに接合され、かつ、第２電極部１５Ｂは、第２透明導電層１２Ｂの表面１２ＢＦに接合されている。ただし、第１電極部１５Ａおよび第２電極部１５Ｂはいずれも、一対の透明導電層１２を第１電源２１に接続する機能を有するのみであり、透明導電層１２を第２電源２２に接続する機能を有していない。このように、本例の調光シート１０Ｎは、一対の透明導電層１２を第１電源２１に接続するための電極部と、透明加熱体を第２電源２２に接続するための電極部とを各別に備えている。そのため、本例の調光シート１０Ｎによれば、第１接続部の電極部が第２接続部の電極部を兼ねる場合に比べて、第２接続部が備える電極部において、位置および形状の自由度を高めることが可能である。
【００６６】
図８は、第３例の調光装置の等価回路図である。
図８が示すように、第１電源２１は、第１スイッチＳＷ１を介して第１抵抗Ｒ１に接続されることが可能であり、かつ、第２スイッチＳＷ２を介して第２抵抗Ｒ２に接続されることが可能である。第２電源２２は、第２端子Ｔ２を介して第２抵抗Ｒ２に接続され、かつ、第１端子Ｔ１および第３スイッチＳＷ３を介して第２抵抗Ｒ２に接続されることが可能である。第１端子Ｔ１は、第１電極部２６Ａに相当し、第２端子Ｔ２は、第２電極部２６Ｂに相当する。
【００６７】
第１スイッチＳＷ１は、第１電源２１が、第１抵抗Ｒ１すなわち第１透明導電層１２Ａに接続された状態と、第１電源２１が、第１抵抗Ｒ１に接続されていない状態とを切り替える。第２スイッチＳＷ２は、第１電源２１が、第２抵抗Ｒ２すなわち第２透明導電層１２Ｂに接続された状態と、第１電源２１が、第２抵抗Ｒ２に接続されていない状態とを切り替える。第３スイッチＳＷ３は、第２電源２２が、第２抵抗Ｒ２に接続された状態と、第２電源２２が、第２抵抗Ｒ２に接続されていない状態とを切り替える。
【００６８】
第１電源２１が出力電圧を一対の透明導電層１２に印加可能にする場合には、第１スイッチＳＷ１が第１電源２１を第１抵抗Ｒ１に接続し、第２スイッチＳＷ２が第１電源２１を第２抵抗Ｒ２に接続し、かつ、第３スイッチＳＷ３が第２電源２２を第２抵抗Ｒ２に接続しない。一方で、第２電源２２が第２透明導電層１２Ｂに電流を供給する場合には、第３スイッチＳＷ３が第２電源２２を第２抵抗Ｒ２に接続し、第１スイッチＳＷ１が第１電源２１を第１抵抗Ｒ１に接続せず、かつ、第２スイッチＳＷ２が第１電源２１を第２抵抗Ｒ２に接続しない。
【００６９】
こうした調光装置２０によれば、第２電源２２が第２透明導電層１２Ｂに電流を供給することによって、第２透明導電層１２Ｂが加熱される。これにより、第２透明導電層１２Ｂによって調光層１１が加熱され、調光装置２０が低温環境において使用された場合であっても、液晶分子の配向が電圧の印加に追従する温度にまで調光層１１を加熱することが可能である。結果として、調光シート１０Ｎを使用する温度の範囲において、下限値の引き下げが可能になる。
【００７０】
なお、本例では、第２電源２２に接続される端子として機能する第１電極部２６Ａおよび第２電極部２６Ｂが第２透明導電層１２Ｂに接続されているが、第１電極部２６Ａおよび第２電極部２６Ｂは、第１透明導電層１２Ａに接続されてもよい。この場合には、第１透明導電層１２Ａが透明加熱体として機能する。
【００７１】
［第３例の変更例］
上述した第３例の調光シート１０Ｎは、以下のように変更して実施ことができる。
図９が示すように、第１電極部２６Ａおよび第２電極部２６Ｂは、調光シート１０Ｎのなかで、第１方向Ｄ１に沿って延びる辺に沿う直線状を有してもよい。第１電極部２６Ａおよび第２電極部２６Ｂは、調光シート１０Ｎのなかで、第２方向Ｄ２において互いに対向する辺に沿って１つずつ位置している。
【００７２】
第２方向Ｄ２において、第２透明支持層１３Ｂの長さと、第２透明導電層１２Ｂの長さとが等しい。第２方向Ｄ２において、調光層１１、第１透明導電層１２Ａ、および、第１透明支持層１３Ａの長さは互いに等しい。第２方向Ｄ２において、第２透明支持層１３Ｂの長さは、第１透明支持層１３Ａの長さよりも長い。調光シート１０Ｎの表面１０ＮＦと対向する平面視において、各電極部２６Ａ，２６Ｂは、第２透明導電層１２Ｂのなかで、調光層１１、第１透明導電層１２Ａ、および、第１透明支持層１３Ａからはみ出す部分に位置している。これにより、各電極部２６Ａ，２６Ｂが調光シート１０Ｎの外部に露出し、結果として、各電極部２６Ａ，２６Ｂを第２電源２２に接続するための配線を各電極部２６Ａ，２６Ｂに接続することが可能である。
【００７３】
第１電極部１５Ａは、第１透明導電層１２Ａのなかで、第２方向Ｄ２に沿って延びる辺において第１透明導電層１２Ａに接続されてもよい。なお、第１電極部１５Ａは、上述した第３例と同様に、第１方向Ｄ１に沿って延びる辺において第１透明導電層１２Ａに接続されてもよい。
【００７４】
こうした調光装置２０によっても、第２透明導電層１２Ｂを透明加熱体として機能させることが可能である。なお、本変更例においても、第３例と同様、第１電極部２６Ａおよび第２電極部２６Ｂは、第１透明導電層１２Ａに接合されてもよい。
【００７５】
［第４例］
図１０および図１１を参照して、第４例の調光シートおよび調光装置を説明する。第４例は、第２例の調光シート１０Ｎと比べて、各接続部が備える電極部の形状、および、調光シート１０Ｎのなかで各電極部が位置する部分が異なっている。そのため以下では、こうした相違点を詳しく説明する一方で、第２例と共通する構成には同一の符号を付すことによって、当該構成の詳しい説明を省略する。
【００７６】
図１０が示すように、第１接続部は、第１電極部２５Ａと第２電極部２５Ｂとを含む。第１電極部２５Ａは第１透明導電層１２Ａに接続され、第２電極部２５Ｂは第２透明導電層１２Ｂに接続されている。第２接続部は、第１電極部３６Ａ、第２電極部３６Ｂ、第３電極部３６Ｃ、および、第４電極部３６Ｄを含む。第１電極部３６Ａおよび第２電極部３６Ｂは第１透明導電層１２Ａに接続され、第３電極部３６Ｃおよび第４電極部３６Ｄは第２透明導電層１２Ｂに接続されている。なお、本例では、第１接続部の第１電極部２５Ａが第２接続部の第２電極部３６Ｂを兼ね、かつ、第１接続部の第２電極部２５Ｂが第２接続部の第４電極部３６Ｄを兼ねている。
【００７７】
第１電極部２５Ａおよび第１電極部３６Ａは、第１透明導電層１２Ａの裏面１２ＡＢに接合されている。２つの電極部２５Ａ，３６Ａは、第１透明導電層１２Ａのなかで、第１方向Ｄ１において対向する辺に１つずつ位置している。各電極部２５Ａ，３６Ａは、第２方向Ｄ２に沿って延びる直線状を有している。各電極部２５Ａ，３６Ａの長さは、各電極部２５Ａ，３６Ａが沿う辺の長さの５０％以上であり、８０％以上であることが好ましく、９０％以上であることがより好ましい。すなわち、各電極部２５Ａ，３６Ａの長さは、各電極部２５Ａ，３６Ａが沿う辺の長さにほぼ等しいことが好ましい。
【００７８】
第２電極部２５Ｂおよび第３電極部３６Ｃは、第２透明導電層１２Ｂの表面１２ＢＦに接合されている。２つの電極部２５Ｂ，３６Ｃは、第２透明導電層１２Ｂのなかで、第２方向Ｄ２において対向する辺に１つずつ位置している。各電極部２５Ｂ，３６Ｃは、第１方向Ｄ１に沿って延びる形状を有している。各電極部２５Ｂ，３６Ｃの長さは、各電極部２５Ｂ，３６Ｃが沿う辺の長さの５０％以上であり、８０％以上であることが好ましく、９０％以上であることがより好ましい。すなわち、各電極部２５Ｂ，３６Ｃの長さは、各電極部２５Ｂ，３６Ｃが沿う辺の長さにほぼ等しいことが好ましい。
【００７９】
調光シート１０Ｎの表面１０ＮＦと対向する平面視において、第１透明支持層１３Ａの大きさと第１透明導電層１２Ａの大きさとが互いに等しく、第２透明支持層１３Ｂの大きさと第２透明導電層１２Ｂの大きさとが互いに等しい。第１方向Ｄ１において、第１透明支持層１３Ａの長さが、第２透明支持層１３Ｂの長さよりも長く、かつ、第２方向Ｄ２において、第２透明支持層１３Ｂの長さが、第１透明支持層１３Ａの長さよりも長い。第１方向Ｄ１において、調光層１１の長さは、第１透明支持層１３Ａの長さよりも短く、かつ、第２方向Ｄ２において、調光層１１の長さは、第２透明支持層１３Ｂの長さよりも短い。
【００８０】
各電極部２５Ａ，３６Ａは、第１透明導電層１２Ａのなかで、調光層１１、第２透明導電層１２Ｂ、および、第２透明支持層１３Ｂからはみ出す部分に位置している。これにより、各電極部２５Ａ，３６Ａが、調光シート１０Ｎの外部に露出し、結果として、各電極部２５Ａ，３６Ａを電源に接続するための配線を各電極部２５Ａ，３６Ａに接続することが可能になる。各電極部２５Ｂ，３６Ｃは、第２透明導電層１２Ｂのなかで、調光層１１、第１透明導電層１２Ａ、および、第１透明支持層１３Ａからはみ出す部分に位置している。これにより、各電極部２５Ｂ，３６Ｃが、調光シート１０Ｎの外部に露出し、結果として、各電極部２５Ｂ，３６Ｃを電源に接続するための配線を各電極部２５Ｂ，３６Ｃに接続することが可能になる。
【００８１】
図１１は、第４例の調光装置の等価回路図である。
図１１が示すように、第１電源２１は、第１スイッチＳＷ１を介して第１抵抗Ｒ１に接続されることが可能であり、かつ、第２スイッチＳＷ２を介して第２抵抗Ｒ２に接続されることが可能である。第２電源２２は、第１端子Ｔ１を介して第１抵抗Ｒ１に接続され、かつ、第２端子Ｔ２および第３スイッチＳＷ３を介して第１抵抗Ｒ１に接続されることが可能である。第１端子Ｔ１は第２電極部３６Ｂに相当し、第２端子Ｔ２は、第１電極部３６Ａに相当する。
【００８２】
第２電源２２は、さらに、第３端子Ｔ３および第４スイッチＳＷ４を介して第２抵抗Ｒ２に接続されることが可能であり、かつ、第４端子Ｔ４を介して第２抵抗Ｒ２に接続されている。第３端子Ｔ３は第３電極部３６Ｃに相当し、第４端子Ｔ４は第４電極部３６Ｄに相当する。
【００８３】
第１スイッチＳＷ１は、第１電源２１が、第１抵抗Ｒ１に接続された状態と、第１電源２１が、第１抵抗Ｒ１に接続されていない状態とを切り替える。第２スイッチＳＷ２は、第１電源２１が、第２抵抗Ｒ２に接続されている状態と、第１電源２１が、第２抵抗Ｒ２に接続されていない状態とを切り替える。第３スイッチＳＷ３は、第２電源２２が、第１抵抗Ｒ１に接続された状態と、第２電源２２が、第１抵抗Ｒ１に接続されていない状態とを切り替える。第４スイッチＳＷ４は、第２電源２２が、第２抵抗Ｒ２に接続されている状態と、第２電源２２が、第２抵抗Ｒ２に接続されていない状態とを切り替える。
【００８４】
第１電源２１が出力電圧を一対の透明導電層１２のみに印加可能にする場合には、第１スイッチＳＷ１が第１電源２１を第１抵抗Ｒ１に接続し、第２スイッチＳＷ２が第１電源２１を第２抵抗Ｒ２に接続し、第３スイッチＳＷ３が第２電源２２を第１抵抗Ｒ１に接続せず、かつ、第４スイッチＳＷ４が第２電源２２を第２抵抗Ｒ２に接続しない。
【００８５】
一方で、第２電源２２が第１透明導電層１２Ａに電流を供給する場合には、第３スイッチＳＷ３が第２電源２２を第１抵抗Ｒ１に接続し、第１スイッチＳＷ１が第１電源２１を第１抵抗Ｒ１に接続せず、第２スイッチＳＷ２が第１電源２１を第２抵抗Ｒ２に接続せず、かつ、第４スイッチＳＷ４が第２電源２２を第２抵抗Ｒ２に接続しない。この状態から、第４スイッチＳＷ４が第２電源２２を第２抵抗Ｒ２に接続することによって、第２電源２２は、第１透明導電層１２Ａおよび第２透明導電層１２Ｂの両方に電流を供給することが可能である。なお、調光装置２０では、第１スイッチＳＷ１が第１電源２１を第１抵抗Ｒ１に接続せず、第２スイッチＳＷ２が第１電源２１を第２抵抗Ｒ２に接続せず、第３スイッチＳＷ３が第２電源２２を第１抵抗Ｒ１に接続せず、かつ、第４スイッチＳＷ４が第２電源２２を第２抵抗Ｒ２に接続することが可能である。これにより、第２電源２２が第２透明導電層１２Ｂに電流を供給する一方で、第１透明導電層１２Ａには電流を供給しない。
【００８６】
このように、本例の調光装置２０によれば、第１透明導電層１２Ａのみを透明加熱体として機能させる状態、第２透明導電層１２Ｂのみを透明加熱体として機能させる状態、および、第１透明導電層１２Ａおよび第２透明導電層１２Ｂの両方を透明加熱体として機能させる状態のいずれかを選択することが可能である。
【００８７】
［第４例の変更例］
上述した第４例の調光シート１０Ｎは、以下のように変更して実施することができる。
図１２が示すように、第１電極部２５Ａは、第１電極要素２５Ａ１および第２電極要素２５Ａ２を備え、かつ、第２電極部２５Ｂは、第１電極要素２５Ｂ１および第２電極要素２５Ｂ２を備えている。第１電極部３６Ａは、第１電極要素３６Ａ１および第２電極要素３６Ａ２を備え、かつ、第２電極部３６Ｂは、第１電極要素３６Ｂ１および第２電極要素３６Ｂ２を備えている。第３電極部３６Ｃは、第１電極要素３６Ｃ１および第２電極要素３６Ｃ２を備え、かつ、第４電極部３６Ｄは、第１電極要素３６Ｄ１および第２電極要素３６Ｄ２を備えている。
【００８８】
各電極部において、第１電極要素は、先に説明した第４例の電極部に相当する。各第１電極要素は、例えば、導電性ペーストおよび導電性テープによって形成される。各第２電極要素は、例えば、ＦＰＣとＡＣＦとの積層体によって形成される。各第２電極要素は、その第２電極要素が有するＡＣＦによって、第２電極要素が属する電極部が備える第１電極要素に接合されている。第２電極要素は、当該第２電極要素が接続された第１電極要素が沿う辺から透明導電層１２の外側に向けて延びる形状を有している。
【００８９】
以上説明したように、調光シートおよび調光装置の第１実施形態によれば、以下に記載の効果を得ることができる。
（１）電流を供給された透明導電層１２Ａ，１２Ｂによって調光層１１が加熱される。これにより、調光層１１の温度は、調光シート１０Ｎ，１０Ｒが置かれた環境の温度よりも上昇する。そのため、調光シート１０Ｎ，１０Ｒが低温下に配置された場合であっても、調光層１１の温度が低下することに起因して、液晶分子の配向が電圧の印加に追従しにくくなることが抑えられる。それゆえに、調光シート１０Ｎ，１０Ｒを使用する温度の範囲において下限値を引き下げることが可能となる。
【００９０】
（２）第１接続部に属する電極部が、複数の液晶分子の配向を変えるための電極部として機能することに加えて、透明導電層１２Ａ，１２Ｂを加熱するための電極部としても機能する。そのため、液晶分子の配向を変えるための電極部と、調光層１１を加熱するための電極部とを別々に備える場合に比べて、調光シート１０Ｎ，１０Ｒに用いられる部材の数を減らすことができる。
【００９１】
（３）第２電源２２から供給される電流が透明導電層１２Ａ，１２Ｂの一部にのみ供給されることが抑えられる。そのため、調光層１１が、調光層１１の全体にわたって加熱されやすくなる。
（４）電極部が調光シート１０Ｎ，１０Ｒの一辺に沿って延びるため、第２電源２２から供給される電流が透明導電層１２Ａ，１２Ｂの全体に広がりやすくなる。そのため、調光層１１が、調光層１１の全体にわたって加熱されやすくなる。
【００９２】
（５）スイッチによって、第１電源２１からの出力によって複数の液晶分子の配向を変えることと、第２電源２２からの出力によって透明導電層１２Ａ，１２Ｂを加熱することとを切り替えることが可能である。
【００９３】
（６）スイッチによって、調光層１１の厚さ方向における一方のみから調光層１１を加熱することと、調光層１１の厚さ方向における両方から調光層１１を加熱することとを切り替えることが可能である。
【００９４】
［第１実施形態の変形例］
上述した第１実施形態は、以下のように変更して実施することができる。
・調光シート１０Ｎ，１０Ｒは、調光層１１、透明導電層１２、透明支持層１３、配向層１４に加えて、これら以外の他の層を備えていてもよい。
【００９５】
［第２実施形態］
図１３から図１６を参照して、調光シートおよび調光装置の第２実施形態を説明する。第２実施形態では、第１実施形態と比べて、調光シートが一対の透明導電層とは異なる透明導電層を透明加熱体の一例として備える点が異なっている。そのため以下では、こうした相違点を詳しく説明する一方で、第１実施形態と共通する構成には第１実施形態と同一の符号を付すことによって、当該構成の詳しい説明を省略する。なお、以下では、第２実施形態の調光シートの一例としてノーマル型の調光シート１０Ｎの構成を説明するが、第２実施形態の調光シートは、リバース型の調光シート１０Ｒであってもよい。
【００９６】
［調光シートの構成］
図１３を参照して、調光シートの構成を説明する。
図１３が示すように、調光シート１０Ｎは、調光層１１、一対の透明導電層１２Ａ，１２Ｂ、一対の透明支持層１３Ａ，１３Ｂに加えて、接着層４１、第３透明導電層４２、および、第３透明支持層４３を備えている。
【００９７】
接着層４１は、第３透明導電層４２を第２透明支持層１３Ｂに接着する。接着層４１は、各種の接着剤によって形成されてよい。
第３透明導電層４２は、例えば透明導電性酸化物によって形成されている。透明導電性酸化物は、例えばＩＴＯであってよい。第３透明導電層４２は、第１透明導電層１２Ａおよび第２透明導電層１２Ｂと同様、電流が供給されることによって発熱する。第３透明導電層４２を形成する透明導電性酸化物は、第１透明導電層１２Ａおよび第２透明導電層１２Ｂを形成する透明導電性酸化物と同じであってもよいし、異なってもよい。
【００９８】
本実施形態において、第２接続部は、第１電極部４６Ａおよび第２電極部４６Ｂを含む。各電極部４６Ａ，４６Ｂは、第３透明導電層４２の表面４２Ｆに接合されている。２つの電極部４６Ａ，４６Ｂは、第１方向Ｄ１において対向する辺に１つずつ位置している。各電極部４６Ａ，４６Ｂは、第２方向Ｄ２に沿って延びる直線状を有している。各電極部４６Ａ，４６Ｂの長さは、その電極部４６Ａ，４６Ｂが位置する辺の長さの５０％以上であり、８０％以上であることが好ましく、９０％以上であることがより好ましい。すなわち、各電極部４６Ａ，４６Ｂの長さは、その電極部４６Ａ，４６Ｂが位置する辺の長さとほぼ等しいことが好ましい。各電極部４６Ａ，４６Ｂは、例えば、ＦＰＣによって形成される。なお、各電極部４６Ａ，４６Ｂは、導電性ペーストおよび導電性テープなどによって形成されてもよい。
【００９９】
第１方向Ｄ１において、第３透明支持層４３の長さと、第３透明導電層４２の長さとが等しい。第１方向Ｄ１において、第１透明支持層１３Ａの長さ、第１透明導電層１２Ａの長さ、調光層１１の長さ、第２透明導電層１２Ｂの長さ、第２透明支持層１３Ｂの長さ、および、接着層４１の長さが、互いに等しい。調光シート１０Ｎの表面１０ＮＦと対向する平面視において、各電極部４６Ａ，４６Ｂは、第３透明導電層４２のなかで、第１透明支持層１３Ａ、第１透明導電層１２Ａ、調光層１１、第２透明導電層１２Ｂ、第２透明支持層１３Ｂ、および、接着層４１からはみ出す部分に位置している。これにより、各電極部４６Ａ，４６Ｂが、調光シート１０Ｎの外部に露出し、結果として、各電極部４６Ａ，４６Ｂを第２電源２２に接続するための配線を各電極部４６Ａ，４６Ｂに接続することが可能である。
【０１００】
本実施形態では、第１接続部が備える第１電極部１５Ａおよび第２電極部１５Ｂに第１電源２１が接続され、かつ、第２接続部が備える第１電極部４６Ａおよび第２電極部４６Ｂに第２電源２２が接続される。調光装置２０は、第１透明導電層１２Ａおよび第２透明導電層１２Ｂとは異なる第３透明導電層４２を透明加熱体として備えるため、第１電源２１が一対の透明導電層１２間に電圧を印加することと、第２電源２２が第３透明導電層４２に電流を供給することとを同時に行うこともできるし、各別に行うこともできる。こうした調光装置２０によれば、調光シート１０Ｎの透過率を変えることと、調光層１１を加熱することとを行うタイミングの自由度を高めることが可能である。
【０１０１】
［第１変更例］
先に説明した調光シート１０Ｎは、以下のように変更されてもよい。
図１４が示すように、第１電極部４６Ａは、第１電極要素４６Ａ１と第２電極要素４６Ａ２とを備えてもよい。第１電極要素４６Ａ１は、第２方向Ｄ２に沿って延びる直線状を有する。第２電極要素４６Ａ２は、第１方向Ｄ１に沿って第１電極要素４６Ａ１から第３透明導電層４２の外側に向けて延びている。
【０１０２】
第１電極要素４６Ｂ１は、第１電極要素４６Ａ１と同様、第２方向Ｄ２に沿って延びる直線状を有する。第２電極要素４６Ｂ２は、第２電極要素４６Ａ２と同様、第１方向Ｄ１に沿って第１電極要素４６Ｂ１から第３透明導電層４２の外側に向けて延びている。
【０１０３】
［第２変更例］
先に説明した調光シート１０Ｎは、以下のように変更されてもよい。
図１５が示すように、第３透明支持層４３の大きさは、第３透明導電層４２の大きさと等しい。また、第３透明支持層４３の大きさは、第１透明支持層１３Ａの大きさ、第１透明導電層１２Ａの大きさ、調光層１１の大きさ、第２透明導電層１２Ｂの大きさ、および、第２透明支持層１３Ｂの大きさと互いに等しい。一方で、第１方向Ｄ１において、接着層４１の長さは、第３透明導電層４２の長さよりも短い。
【０１０４】
本変更例の第１電極部４６Ａは、第１変更例の第１電極部４６Ａと同様、第１電極要素４６Ａ１と第２電極要素４６Ａ２とを備えている。第２電極部４６Ｂは、第１変更例の第２電極部４６Ｂと同様、第１電極要素４６Ｂ１と第２電極要素４６Ｂ２とを備えている。調光シート１０Ｎの表面１０ＮＦと対向する平面視において、各電極部４６Ａ，４６Ｂは、第３透明導電層４２のなかで、接着層４１によって覆われていない部分に位置している。これにより、各電極部４６Ａ，４６Ｂが、第３透明導電層４２に電気的に接続している。
【０１０５】
［第３変更例］
先に説明した調光シート１０Ｎは、以下のように変更されてもよい。
図１６が示すように、第３透明支持層４３の大きさは、第３透明導電層４２の大きさと等しい。また、第３透明支持層４３の大きさは、第１透明支持層１３Ａの大きさ、第１透明導電層１２Ａの大きさ、調光層１１の大きさ、第２透明導電層１２Ｂの大きさ、および、第２透明支持層１３Ｂの大きさと互いに等しい。一方で、第２方向Ｄ２において、接着層４１の長さは、第３透明導電層４２の長さよりも短い。
【０１０６】
本変更例において、２つの電極部４６Ａ，４６Ｂは、第２方向Ｄ２において対向する辺に１つずつ位置している。第１電極部４６Ａは、第１電極要素４６Ａ１と第２電極要素４６Ａ２とを備えている。第２電極部４６Ｂは、第１電極要素４６Ｂ１と第２電極要素４６Ｂ２とを備えている。
【０１０７】
第１電極要素４６Ａ１は、第１方向Ｄ１に沿って延びる直線状を有している。第２電極要素４６Ａ２は、第２方向Ｄ２に沿って第１電極要素４６Ａ１から第３透明導電層４２の外側に向けて延びている。第１電極要素４６Ｂ１は、第１方向Ｄ１に沿って延びる直線状を有している。第２電極要素４６Ｂ２は、第２方向Ｄ２に沿って第１電極要素４６Ｂ１から第３透明導電層４２の外側に向けて延びている。
【０１０８】
調光シート１０Ｎの表面１０ＮＦと対向する平面視において、各電極部４６Ａ，４６Ｂは、第３透明導電層４２のなかで、接着層４１によって覆われていない部分に位置している。これにより、各電極部４６Ａ，４６Ｂが、第３透明導電層４２に電気的に接続している。
【０１０９】
なお、各電極部４６Ａ，４６Ｂが第１方向Ｄ１に沿って延びる辺に沿って位置する場合には、以下の構成でもよい。すなわち、第２方向Ｄ２において、第３透明支持層４３の長さ、および、第３透明導電層４２の長さが、第１透明支持層１３Ａの長さ、第１透明導電層１２Ａの長さ、調光層１１の長さ、第２透明導電層１２Ｂの長さ、および、第２透明支持層１３Ｂの長さよりも長くてもよい。そして、調光シート１０Ｎの表面１０ＮＦと対向する平面視において、各電極部４６Ａ，４６Ｂは、第３透明導電層４２のなかで、第１透明支持層１３Ａ、第１透明導電層１２Ａ、調光層１１、第２透明導電層１２Ｂ、および、第２透明支持層１３Ｂからはみ出す部分に位置してよい。
【０１１０】
以上説明したように、調光シート、および、調光装置の第２実施形態によれば、第１実施形態の（１）、（３）、および、（４）の効果に加えて、以下の効果を得ることができる。
【０１１１】
（７）一対の透明導電層１２Ａ，１２Ｂとは別に、加熱用の透明導電層を有することによって、調光シート１０Ｎ，１０Ｒの透過率を変えることと、調光層１１を加熱することとを各別に行うことと、これらを同時に行うこととを選択することが可能である。
【０１１２】
［第２実施形態の変更例］
上述した第２実施形態は、以下のように変更して実施することができる。
・第２実施形態における調光シート１０Ｎ，１０Ｒの構成は、第１実施形態の調光シート１０Ｎ，１０Ｒの構成と組み合わせることが可能である。
【符号の説明】
【０１１３】
１０Ｎ，１０Ｒ…調光シート、１０ＮＢ，１２ＡＢ，１２ＢＢ…裏面、１０ＮＦ，１２ＡＦ，１２ＢＦ，４２Ｆ…表面、１１…調光層、１１ｈ，１２Ａｈ，１２Ｂｈ，１３Ａｈ，１３Ｂｈ…貫通孔、１２…透明導電層、１２Ａ…第１透明導電層、１２Ｂ…第２透明導電層、１３…透明支持層、１３Ａ…第１透明支持層、１３Ｂ…第２透明支持層、１４…配向層、１５Ａ，１６Ａ，２５Ａ，２６Ａ，３６Ａ，４６Ａ…第１電極部、１５Ｂ，１６Ｂ，２５Ｂ，２６Ｂ，３６Ｂ，４６Ｂ…第２電極部、１６Ｃ，３６Ｃ…第３電極部、１６Ｄ，３６Ｄ…第４電極部、２０…調光装置、２１…第１電源、２２…第２電源、２５Ａ１，２５Ｂ１，３６Ａ１，３６Ｂ１，３６Ｃ１，３６Ｄ１，４６Ａ１，４６Ｂ１…第１電極要素、２５Ａ２，２５Ｂ２，３６Ａ２，３６Ｂ２，３６Ｃ２，３６Ｄ２，４６Ａ２，４６Ｂ２…第２電極要素、２６Ａ１…第１被接合部、２６Ｂ１…第２被接合部、４１…接着層、４２…第３透明導電層、４３…第３透明支持層、Ｃ…容量、Ｒ１…第１抵抗、Ｒ２…第２抵抗、Ｒ３…第３抵抗、ＳＷ１…第１スイッチ、ＳＷ２…第２スイッチ、ＳＷ３…第３スイッチ、ＳＷ４…第４スイッチ、Ｔ…端子、Ｔ１…第１端子、Ｔ２…第２端子、Ｔ３…第３端子、Ｔ４…第４端子。
【図１】
2020177198.tif 000003
【図２】
2020177198.tif 000004
【図３】
2020177198.tif 000005
【図４】
2020177198.tif 000006
【図５】
2020177198.tif 000007
【図６】
2020177198.tif 000008
【図７】
2020177198.tif 000009
【図８】
2020177198.tif 000010
【図９】
2020177198.tif 000011
【図１０】
2020177198.tif 000012
【図１１】
2020177198.tif 000013
【図１２】
2020177198.tif 000014
【図１３】
2020177198.tif 000015
【図１４】
2020177198.tif 000016
【図１５】
2020177198.tif 000017
【図１６】
2020177198.tif 000018